(57)【要約】【課題】  医師の労力を低減し、健康相談者の健康知識を高める。【解決手段】    健康相談者のクライアントから健康状態を示すバイタルデータと食事の写真イメージおよび自己による食事の分析結果を入力してサーバ（５０）に保存し、栄養士のクライアント（３０）で、栄養士が食事の電子画像をみて分析結果を健康相談者のクライアント（１０）に通知する。栄養士および健康相談者の分析結果が健康相談者のクライアントに表示される。【選択図】          図１３
2005353088.tif 000002
【特許請求の範囲】
【請求項１】
健康相談者の第１クライアント、栄養士の第２クライアントとをサーバを介して接続する電子健康相談方法において、
前記第１のクライアントから健康相談者が食した食事の画像データを入力し、当該第１のクライアントから健康相談者の食事の分析結果を入力し、
当該第１のクライアントから入力された食事の画像データおよび健康相談者の分析結果を前記サーバに記憶し、
前記第２のクライアントは前記サーバに記憶された食事の画像データを表示し、
当該表示された食事の画像データに対する栄養士の分析結果を入力し、
当該第２のクライアントから入力された栄養士の分析結果を前記サーバに記憶し、
前記第１のクライアントでは前記サーバに記憶された健康相談者の分析結果および栄養士の分析結果を前記サーバから読み出して表示する
ことを特徴とする電子健康相談方法。
【発明の詳細な説明】
【技術分野】
【０００１】
本発明は、インターネットなどの通信ネットワークを使用して、医療スタッフと健康相談者を効率的に結びつけて行なう電子健康相談方法に関する。
【背景技術】
【０００２】
現状では、糖尿病などの慢性疾患である健康相談者の対応には、医療スタッフ（医師、看護婦、栄養士、運動療法士等）の医療チームで行っている。
【０００３】
しかしながら、このチーム医療を実践するのには、医療スタッフを医院に拘束するため、大変な時間と費用を必要とし、年々増加しているこれら慢性疾患者に、優れたチーム医療を、いかにして多くの健康相談者に提供できるかが課題となっている。
【０００４】
現状では、健康相談者が医院に赴き、まず医師の診療で、血糖、ヘモグロビンＡ１Ｃ、尿検査、心電図等の検査がなされ、その検査結果を見て医師が判断し、健康相談が必要であるとの判断がなされた場合、
医院において、医療スタッフが対面で健康相談者の治療方針について検討し、医療スタッフが、健康相談者に対して、詳細にわたり糖尿病等の慢性病の教育として、慢性病の概念的な問題と実際的なセルフマネージメントを中心として教育し、医療スタッフが月１回程度の割合で面接をして、経過を診る。
【０００５】
また、現在、健康相談者が病院へ行かなくても良い方法に、インターネットを利用して健康相談を行なう次の方法も知られている。
【０００６】
第１の方法では健康相談者が家庭に設置されたパソコンから、病院に設置されたパソコンに対して、電子メールを送る方法である。電子メールには健康相談の内容を記載する。
【０００７】
第２の方法は健康相談者が自宅のパソコンを使用して製薬会社の宣伝を行なうホームページにアクセスして、自己の症状に該当する記述を見つける方法である。
【０００８】
第１の方法は医師でなくてもたとえば、栄養士などが回答ができる健康相談について相談も多く、健康相談者の相談回数が多いと病院側の医者は本来の医療業務を遂行できないという問題がある。
【０００９】
第２の方法は医療知識のない健康相談者が診断を行なうので、正確な診断ができないという問題がある。
【発明の開示】
【発明が解決しようとする課題】
【００１０】
そこで、本発明の目的は、医療スタッフの負担を増大させず、年々増加している健康相談者に優れたチーム医療が提供できる新規な電子健康相談方法を提供することにある。
【課題を解決するための手段】
【００１１】
かかる目的を達成するために、請求項１の発明の発明は、健康相談者の第１クライアント、栄養士の第２クライアントとをサーバを介して接続する電子健康相談方法において、
前記第１のクライアントから健康相談者が食した食事の画像データを入力し、当該第１のクライアントから健康相談者の食事の分析結果を入力し、
当該第１のクライアントから入力された食事の画像データおよび健康相談者の分析結果を前記サーバに記憶し、
前記第２のクライアントは前記サーバに記憶された食事の画像データを表示し、
当該表示された食事の画像データに対する栄養士の分析結果を入力し、
当該第２のクライアントから入力された栄養士の分析結果を前記サーバに記憶し、
前記第１のクライアントでは前記サーバに記憶された健康相談者の分析結果および栄養士の分析結果を前記サーバから読み出して表示する
ことを特徴とする。
【発明の効果】
【００１２】
本発明によれば、栄養士による健康相談をオンラインで行なうことにより医師の負担が減少する。また健康相談者は、自らの食事分析と栄養士の食事分析を比較できることで自分の食事分析能力の向上を図ることが容易となる。
【発明を実施するための最良の形態】
【００１３】
以下、図面を参照して本発明の実施形態を詳細に説明する。
【００１４】
本発明を適用した健康相談システムのシステム構成を図１に示す。図１において、クライアント１０，２０，３０，４０，６０およびサーバ５０がインターネットのような通信ネットワークに接続されている。
【００１５】
上記クライアントおよびサーバは、キーボード、マウスのようなポインティングデバイスおよび通信機能を有する市販のコンピュータを使用することができるので、ハードウェアの構成の説明は省略する。
【００１６】
クライアント１０は健康相談者の自宅に設置される。また、クライアント１０はＰＡＤ（携帯端末）やカメラ付き携帯電話でも可能である。クライアント２０は医師が使用するクライアントであり、病院や自宅側に設置する。クライアント３０は栄養士の自宅あるいは会社に設置される。クライアント４０は給食宅配業者の会社に設置される。サーバ５０はコンピュータセンター側に設置される。クライアント６０はスポーツクラブ施設内に設置され、スポーツ指導員が健康相談者へトレーニングメニューを入力する。
【００１７】
クライアント１０〜４０、６０にはブラウザと呼ばれるホームページ（ＨＴＭＬ文書、ＸＭＬ文書等）を閲覧するためのプログラムが搭載され、クライアント１０および２０にはテレビ電話（テレビ会議とも称される）用のプログラムが搭載され、テレビ電話用のビデオカメラが接続されている。
【００１８】
サーバ５０は健康相談用のホームページを提供する。本実施形態では、健康相談者がクライアント１０を使用してサーバ５０のホームページにアクセスし、健康相談に関する情報を入力する。入力する情報は、食事の料理を撮影した食事画像、血圧の測定結果等、後述の健康状態を示すデータ等である。
【００１９】
入力された情報はサーバ５０に個人ごとに蓄積される。サーバ５０において、血圧などの測定値は予め設定された許容値と比較され、許容値を超えるとその旨のメッセージが病院側のクライアント２０と該当者のクライアント１０に電子メールで自動通知される。
【００２０】
栄養士側のクライアント３０はセンター側のサーバ５０のホームページにアクセスし、自己が担当している健康相談者の食事を栄養士が目視で分析する。より具体的には、健康相談者から送られ、サーバ５０に蓄積されている食事の写真のイメージファイルを、読み出して、クライアント３０に表示させる。この表示から、栄養士は食事の内容を分析し、その分析結果を入力し、サーバ５０に登録する。この登録された分析結果もサーバ５０において許容値と比較され、許容値を超えるとその旨のメッセージが病院側のクライント２０と該当者のクライアント１０に電子メールで自動通知される。
【００２１】
また、栄養士はホームページ内のアドバイス記入欄を使用して、食事に関するアドバイスを入力する。このアドバイスは、センター側のサーバ５０に蓄積されると共に、健康相談者がサーバ５０のホームページアクセスしたときに、健康相談者のクライアント１０に表示される。
【００２２】
医師は病院側のクライアント２０で自己宛ての電子メールの内容を確認すると、センター側のサーバ５０のホームページにアクセスし、アドバイス入力欄に健康に関するアドバイスを記入する。また、必要があれば、病院に来るようにとのメッセージを記入する。入力されたアドバイスはセンター側のサーバ５０に蓄積されると共に健康相談者がサーバ５０のホームページアクセスしたときに、健康相談者のクライアント１０に表示される。
【００２３】
センター側のサーバ５０のホームページには、血圧などの測定値と比較する許容値を設定するページが用意されており、医師はクライアント２０でこのページにアクセスし、健康相談者ごとに許容値を設定することができる。
【００２４】
健康相談者はクライアント１０でたとえば、１日１回定期的にセンター側のサーバ５０にアクセスする。このアクセスの際に、ユーザＩＤとパスワードによる照合がサーバ５０側で行なわれるので、サーバ５０では、ユーザＩＤに対応する上述のアドバイス情報を読み出して健康相談者に転送する。これにより、健康相談者は、医師や栄養士から送られたアドバイス情報を見ることができる。
【００２５】
この後、上述したように、予めデジタルカメラ等で撮影した食事の料理のイメージおよびバイタルデータをサーバ５０に送信する。
【００２６】
本実施形態では、さらに、健康相談者のクライアント１０、栄養士のクライアント２０と医師のクライアント３０との間でテレビ電話を行なうことができるが、このために、テレビ電話の予約を行なうためのページをセンター側のクライアント５０のホームページ内に用意している。
【００２７】
また、さらに本実施形態では、健康相談者が医師や栄養士のアドバイスにしたがって適切な食事を行なえるように、健康相談者または医療スタッフが給食や食材の宅配を注文するためのページをセンター側のクライアント５０のホームページ内に用意している。
【００２８】
以上、述べた処理を行なうためのサーバ５０内のソフトウェア構成を図２に示す。サーバ自体は周知の汎用コンピュータを使用することができるので、詳細な説明を省略する。
【００２９】
図２において、サーバ５０内にはＷＥＢサーバと呼ばれる通信用プログラムおよびゲートウェイプログラムがインストールされている。ＷＥＢサーバは、クライアントのブラウザからＵＲＬとよばれるアドレス、より具体的には、ホームページを構成するＨＴＭＬ文書（ＸＭＬ文書も含める）のアドレス指定を受けると、このアドレスで指定されるＨＴＭＬ文書を内部のハードディスク上のホームページファイル群からから読み出して、ブラウザに引渡す周知のプログラムである。なお、本実施形態では電子メール機能を持つＷＥＢサーバを使用する。
【００３０】
ゲートウェイプログラムは、ゲートウェイインターフェースとも呼ばれ、ブラウザから送られるコマンドをＷＥＢサーバを介して受信し実行する周知のプログラムである。本実施形態では、ゲートウェイプログラムはクライアントから入力されたデータを後述のデータベースに対して読み書きを行なったり、所定のキーワードでの検索処理などを行なう。ゲートウェイプログラムの機能を図３を使用して詳細に説明する。
【００３１】
サーバ５０に対して内部／外部接続の記憶装置には以下のデータベースが設置される。
【００３２】
健康管理データベースは、健康相談者から入力された情報、医師、栄養士、スポーツ指導員から入力された情報が健康相談者名（あるいはユーザＩＤ）に関連付けて記憶している。
【００３３】
個人情報データベースには健康相談者名（あるいはユーザＩＤ）に関連付けて、健康相談者の住所、氏名、電話番号、病歴等個人にかかわる情報が記憶されている。
【００３４】
その他のデータベースには、テレビ電話のための予約スケジュールを医師名（あるいは医療機関名等）に関連付けて記憶しており、その他、システム管理のために使用する情報を記憶している。
【００３５】
図３はゲートウェイプログラムの機能を示す。
【００３６】
ゲートウェイプログラムには給食配送依頼受け付け機能１０１、食事・栄養データ読み書き機能１０２、健康相談データ読み書き機能１０３、健康データ読み書き機能１０４、通信記録機能１０５、健康相談予約受け付け機能１０６および個人環境設定機能１０７を有する。
【００３７】
個人環境設定機能１０７は、個人嗜好学習機能１０８、セキュリティ機能１０９および配信条件設定機能１１０を有する。上述の機能の中で機能１０１〜１０４、１０６は図１および図２のシステム説明で言及したので、詳細な説明は要しないであろう。
【００３８】
通信記録機能１０５は、ホームページにアクセスしたクライアントのユーザＩＤ、アクセス時刻、どのページにアクセスしたかを記録（通信ログ）として記憶する機能である。個人嗜好学習機能１０８は、クライアント１０〜４０の使用者が頻繁に使用するホームページ上のページを学習し、頻繁に使用するページにアクセスするための表示画面上のボタンを上側に自動配置する機能であり、ＸＭＬ文書などが持つ機能と関連して実行される。
【００３９】
セキュリティ機能１０９は、クライアントがサーバ５０にアクセスしたときに、ユーザＩＤおよびパスワードを受け付け、照合を行なう機能であり、ユーザＩＤおよびパスワードが図２のその他のデータベースに記載されているユーザＩＤおよびパスワードと一致した場合に、ホームページの閲覧が許可される。
【００４０】
配信条件設定機能１１０は、健康相談者や栄養士、医師に対する情報の配信の方法を設定するための機能であり、本実施形態では、ポケベル、ブラウザでの表示、電子メールのいずれかを選択することができる。上述の説明では健康相談者はブラウザにより、健康相談に対するアドバイスをクライアント１０に表示し、サーバ５０から医師への許容値オーバの旨の配信は電子メールで行なうとしている。
【００４１】
図４〜図１９を使用してブラウザで表示される代表的な情報表示画面や情報入力画面を説明する。これらの表示画面の元となる文書はＨＴＭＬやＨＴＭＬを拡張したＸＭＬの言語で記載される。通常これらの言語で記載される文書には、表示のための文字列およびタグと呼ばれるコマンドが記載される。タグには、イメージを読み出す命令や、表示のための文字列の大きさや書体を設定する命令、ボタンと呼ばれ，表示画面上で、このボタンがマウスにより操作されると、他の文書（ページ）に移行する命令などがある。
【００４２】
文書に記載されたタグの種類をブラウザが識別し、タグの指示にしたがって、表示画面に表示するイメージをブラウザが合成したりコマンドをサーバ５０に送信する。これらのタグは、すでに周知であり、図４〜図１９に関する説明により当業者であればホームページ用の文書を作成することが可能であろう。
【００４３】
図４は健康相談者のクライアント１０がサーバ５０にログイン（パスワード照合）後初めてクライアント１０に表示される画面を示す。図１０において、中央に医師、栄養士およびスポーツ指導員からのアドバイス情報が表示され、下側に、情報入力するための機能ボタン４０１、右側に各種の情報を表示するボタン群４０２が配置されている。
【００４４】
図５は機能ボタン群４０１の中の機能ボタンの操作で移行する画面であり、食事の料理のイメージを入力するための画面を示す。健康相談者は予めデジタルカメラにより撮影した日常の料理の写真イメージを予め定めたクライアント１０のハードディスク記憶領域（ホルダと呼ばれる）に記憶しておく。
【００４５】
健康相談者はこの画面で、自己の名前をキーボードを介して記入欄５０１に記入する。なお、複数の健康相談者が１つのクライアントを共有できるよう、複数の名前が記入された場合にはその名前がクライアント内に保存され、ユーザ選択ボタン５０２で保存された名前を選択して、対象ユーザ記入欄５０１に記入できるようにこの画面を表示するための文書のタグが規定されている。
【００４６】
５０３は送信開始ボタンであり、このボタンをマウスで健康相談者が操作すると、予め定められたホルダに記憶されている写真イメージと、対象ユーザ記入欄５０１で記入されたユーザ名が、サーバ５０に送られる。
【００４７】
サーバ５０では、健康管理データベース内のユーザ名に対応する記憶領域に送信された写真イメージを記憶（蓄積）する。
【００４８】
５０４は戻るボタンであり、このボタンが操作されると、表示画面が図４の表示画面に戻る。
【００４９】
図６はバイタルデータ入力画面を示す。この画面は図４の機能ボタンの操作で表示される。本実施形態では健康相談者の健康状態を表すデータとして、血圧、体温、体重、脈拍、心電図、血糖、運動量等いくつかの要素が定められており、これらの要素の値を総称してバイタルデータと呼ぶことにする。６０１はバイタルデータを入力する記入欄である。６０２はバイタルデータ記入後、サーバ５０への登録を指示するボタンである。６０３は図４の表示画面の移動を指示するボタンである。
【００５０】
この画面で入力されたデータがサーバ５０に送られ、健康管理データベースに記憶される。上述したようにこのデータが、サーバ５０のゲートウェイプログラムにより、許容値と比較され、許容値を超える場合には、その旨のメッセージが病院側の医師のクライントに連絡される。連絡は環境設定条件に基づき、ポケットベル、電子メール、ホームページでの案内のいずれかを選択できるかは上述したとおりである。健康相談者も自身が選択した配信方法で、バイタルデータが許容値を超えたことを通知を受けることができる。
【００５１】
図７はサーバ５０の健康管理データベースに登録された食事の写真イメージを健康相談者、栄養士、医師が再表示させるための画面を示す。この画面は図４の機能ボタンの操作で表示される。
【００５２】
図７において、対象ユーザ名および保存日時を記入欄７０１に入力し、開始ボタン７０２を操作者がマウスで操作すると、入力された対象ユーザ名および保存日時情報および検索命令がクライアントからサーバ５０に送られる。サーバ５０のゲートウェイプログラムは検索命令に応じて対象ユーザ名および保存日時に合致する写真イメージを健康管理データベースから抽出して要求元のクライアントに返信する。返信された写真イメージが図８の表示画面で表示される。７０３は図４の表示画面の移動を指示するボタンである。
【００５３】
図８の画面において、８０１は現在の写真より前の食事の写真を指示するボタンである。８０２は食事分析表示画面に移行するように指示するボタンである。８０３は前の図７の画面に戻るよう指示するボタンである。８０４は現在の次の食事の写真を表示するように指示するボタンである。食事の写真は複数あり、前は食事前写真であり、後は食事後写真である。栄養士は、画面に表示された複数の写真から、健康相談者が採取した量を把握し、食事分析ができる。
【００５４】
図９は図４の機能ボタンの操作で移行する画面であり、この画面は、栄養士及び健康相談者が使用する。
【００５５】
この画面は、食事の写真イメージから分析されるデータを栄養士及び健康相談者が入力する。登録ボタン９０１を栄養士または健康相談者が操作すると、入力データが健康相談者の名前に関連付けられて健康管理データベースに保存される。９０２は図８の表示画面に移行するように指示するボタンである。健康相談者は自らの食事について予め自ら分析を行い、データを入力しておき、栄養士の分析結果と比較することで自らの分析能力を高めることが可能となる。
【００５６】
図１０は医師が健康解析を行なうための初期画面であり、図４の機能ボタンを操作すると移行する。
【００５７】
患者一覧表示ボタン１００４を操作すると、患者一覧が表示される。一覧の中から健康解析したい健康相談者名を選択した後、ボタン１００１〜１００６（１００４を除く）のいずれかを目的に応じて医師が操作すると、各ボタンに対応した後述の画面が現れる。ボタン１００１は健康相談者が入力したバイタルデータ、栄養士が入力した食事の分析結果、あるいはそれらを組み合わせたものと比較する閾値（許容値）を設定する画面に移行するためのボタンである。
【００５８】
１００２は、上記バイタルデータあるいは上記食事の分析結果と閾値の比較のための論理条件を設定する画面へ移行するためのボタンである。１００３は健康相談者に対するアドバイスを入力する画面へ移行するためのボタンである。１００５は健康異常者、すなわち、バイタルデータが閾値を超えた健康相談者のみをリストアップする画面に移行するように指示するボタンである。１００６は統計解析所処理を指示する画面へ移行するためのボタンである。
【００５９】
図１１は図１０のボタン１００１の操作で表示される画面を示す。図１１において、１１０１は健康管理項目（バイタルデータの種類）に対応させて閾値を入力する入力欄である。１１０２は入力した閾値の登録を指示するボタンであり、このボタン操作に応じて入力データが医師のクライアント２０からサーバ５０に送られて、健康管理データベースに登録される。
【００６０】
１１０３は過去一定期間のバイタルデータをグラフ表示するように指示するボタンである。１１０４は図１０の画面に戻るよう指示する画面である。
【００６１】
図１２は図１０のボタン１００２に操作で移行する画面を示す。図１２において、１２０１は閾値とバイタルデータの比較条件、例えば、大小関係やバイタルデータの組み合わせ方を定義する論理式を記入する入力である。１２０２は入力欄から入力された論理式をサーバ５０の健康管理データベースに登録するように指示するボタンである。このように本実施形態では、健康相談者ごとに健康／異常の判定を行なうための判別式（閾値を含む）を健康相談者ごとに可変設定するので、健康相談者に好適な健康診断を行なうことができる。１２０３は図１０の画面に戻るよう指示する画面である。
【００６２】
図１３は図８の食事分析ボタン８０２の操作で移行する画面である。食事ボタン分析ボタン８０２の操作に応じて、図９の画面で入力された食事分析データの読み出し命令と健康相談者名が操作者のクライアント、すなわちクライアント１０、２０，３０のいずれかからサーバ５０に送られる。サーバ５０のゲートウェイプログラムにより、該当するデータが健康管理データベースから読み出されて要求元のクライアントに返送される。クライアントでは受信した食事分析データを表示する。図１３において、１３０１は食事画像の画面に移行するように指示するボタンである。１３０２は現在の次の食事の分析結果を表示するように指示するボタンであり、１３０３は現在の前の食事の分析結果を表示するように指示するボタンである。
【００６３】
また、健康相談者は予め自らが入力した自らの食事画像の分析結果と、栄養士が分析した結果であってサーバ５０から読み出した同一の食事画像についての分析結果とを、同一画面上に表示し、比較することが可能である。
【００６４】
さらにまた、健康相談者は予め自らが入力した自らの食事画像の分析結果と、栄養士が分析した結果の差分をサーバ５０にて、蓄積し、医療スタッフが健康相談者のセルフマネージメントの学習度合いを確認できる。
【００６５】
図１４は不図示の画面のボタンと関連付けられ、そのボタン操作で表示されるバイタルデータ表示画面を示す。上記ボタン操作で、健康相談者名と最新のバイタルデータの検索命令がクライアントからサーバ５０に送られ、サーバ５０から読み出されたバイタルデータがクライアントに返される。図１４において、１４０１はバイタルデータの複数の表示の切替を指示するボタンであり、１４０２はグラフ表示を指示するボタンであり、１４０３は表示の終了を指示するボタンである。この画面は健康相談者と医師が使用する。
【００６６】
図１５は不図示の画面のボタンと関連付けられた表示画面であり、上記ボタンの操作で表示される。この画面は医師のみが使用する。ボタン操作で健康管理データベースに登録された健康解析データ（医師のカルテ情報やバイタルデータ、食事の分析結果から得られる健康解析結果）が表示される。１５０１は健康解析データの表示の切替を指示するボタンであり、１５０２はグラフ表示を指示するボタンであり、１５０３は表示の終了を指示するボタンである。
【００６７】
図１６は図１０のボタン１００３の操作で移行する複数の健康アドバイス入力画面の１つを示す。この画面で医師は健康相談者に対する健康アドバイスを入力する。アドバイスは文字によるメッセージの記入だけでなく、イラスト、グラフ、動画像等各種の情報（コンテンツと呼ばれる）を貼り付ける形態で作成される。作成されたアドバイス情報は、医師のクライアント２０からサーバ５０に送られて健康管理データベースに登録される。登録されたアドバイスが健康相談者のクライアント１０に読み出され表示されることは上述したとおりである。１６０１は既に作成してあるコンテンツの一覧表示を指示するボタン、１６０２は選択されたコンテンツの表示を指示するボタン、１６０３は表示されているコンテンツの登録を指示するボタンである。１６０４は図１０に戻ることを指示するボタンである。
【００６８】
図１７は上述したオンラインでのテレビ電話の予約を申し込むための画面を示すこの画面は図４の機能ボタンの操作で表示される。この画面は健康相談者側が使用する。１７０１は自己の名前を記入する欄、スケジュール情報表示選択部１７０３にはカレンダーが表示されており、この欄の中の所定の日を指定することでテレビ電話の予約日時を指定する。１７０２は医者の氏名や医療機関名（診療科）を記入する欄である。医療機関あるいは医師名と予約希望日を入力すると、空いている時間帯を示す表示が現れるので、その中で時間を指定することで日時の予約を行なう。登録ボタン１７０４を操作すると予約が確定した日時がサーバ５０のその他のデータベースに登録される。なお、サーバ５０では、後述の医師側のスケジュール登録に基づき、健康相談者に対して、予約が可能な日時及び時間帯ならびに不都合な日時及び時間帯を知らせる。健康相談者は取り消しボタン１７０５で予約を取り消すことができ、戻るボタン１７０６で図４の画面に戻ることができる。
【００６９】
図１８は医師側のクライアントで表示するスケジュール調整用の画面であり、図４の機能ボタンの操作で表示される。図４において、１８０１は医療スタッフの氏名を入力する欄である。１８０２はスケジュールを入力する対象となる医師、診療科目あるいは医療機関名を選択入力する部分である。１８０３は１８０２で選択した対象のスケジュールが表示される領域である。医療スタッフが登録ボタン１８０４を操作すると指定した日時がクライアント２０からサーバ５０に送られその他のデータベースに登録される。医療スタッフは取り消しボタン１８０５で入力した予定を取り消すことができる。ゲートウェイプログラムの中の健康相談予約受け付け・閲覧機能により健康相談者が予約を行なうときに、その他のデータベースから都合の悪い日時を健康相談者のクライアント１０に送信する。
【００７０】
また、サーバ５０のその他のデータベースに登録された健康相談者の予約日時が医師のクライアント２０に送られて、図１８のスケジュール情報表示選択部１８０３に表示される。このようにして、医師と健康管理者の間でスケジュール調整が行なわれ、予約日には、健康相談者のクライアント１０と医師のクライアント２０との間で直接テレビ電話プログラムを使用して、会話が行なわれる。テレビ電話自体は周知であり、詳細な説明を要しないであろう。戻るボタン１８０６で図４の画面に戻ることができる。
【００７１】
図１９は、ＴＶ電話での電子健康相談を行う画面であり、図４の画面の機能ボタンの操作で表示される。電話終了後、「戻る」ボタンで図４の画面に戻ることができる。
【００７２】
以上、説明した表示画面の他、図４の機能ボタンの操作で給食の宅配（配送）を依頼する画面が現れ、この画面で給食の料理を選択し、配達先情報を入力すると、選択された料理名や、配達先情報が給食宅配業者のクライアント４０に対して直接的あるいはサーバ５０を介して転送される。給食宅配業者は転送された情報（給食名や食材名）に基づき給食を健康相談者に届ける。健康相談者のクライアント１０から宅配業者のクライアント４０への情報転送方法は電子メールの形態としてもよいし、サーバ５０のその他のデータベースを介して、データ転送する形態としてもよい。
【００７３】
以上、説明したように、本実施形態では、
（１）健康相談者が蓄積する食事の電子画像を栄養士が分析すること、
（２）健康相談者が、自ら行った食事分析と栄養士の食事分析とを比較することで食事分析の自己学習が出来ること
（３）健康相談者が蓄積するバイタルデータや栄養士が蓄積する健康相談者の食事の電子画像の分析結果をサーバ５０が自動健康診断し、健康相談者、医師に連絡すること
（４）医師が上記自動健康診断の判別規則及び基準を健康相談者ごとに設定すること
（５）医師、栄養士と健康相談者との間でオンラインで予約のスケジュール調整を行い、それに基づいてテレビ電話で健康相談を行うこと
（６）上記（４）の処理で異常が見つかった時及び上記（５）のテレビ電話の結果必要と判断されたときに医療スタッフが健康相談者にアドバイスを送ること
を実現可能とした。
【００７４】
これにより、健康相談者は、適切な健康アドバイスを受けることができると共に、医師側では、必要な場合にのみ、健康診断者に対してアドバイスを送ればよいので、従来に比べて、病院での診療業務に従事できる時間が増大する。
【００７５】
さらに本実施形態では、健康相談者は給食の依頼も可能となるので、外に出られない健康相談者に多大な便宜を供与することができる。また、健康相談者は医師または栄養士から業者に直接発注された給食や食材をうけとることも可能で、専門家の指示による食事で健康状態の維持改善を図ることも可能である。
【００７６】
本発明の他に次の実施形態を実施できる。
【００７７】
１）本実施形態では、健康相談者の健康相談を受ける栄養士や医師は、予め電話や電子メールで、健康相談者の氏名をシステム管理者から連絡されるが、サーバ５０上に健康相談者のユーザＩＤと栄養士および医師のユーザＩＤの対応表を用意しておくと、栄養士および医師のクライアントの間の情報通信を自動化して各人の操作をさらに簡略することができる。
【００７８】
たとえば、栄養士が健康相談者から送られた食事のイメージを自己のクライアントに表示するためには、健康相談者一覧から氏名をその都度指定しなければならないが、上記対応表があれば、自己に割り当てられた健康相談者の送信イメージだけを自動送信することができ、栄養士はイメージの読み出しのための操作から開放される。また、自己の担当以外の健康相談者の送信イメージは表示されないので、健康相談者のプライバシーも守られる。
【００７９】
２）上述の実施形態では、健康相談者と医師との間の直接的な通信はテレビ電話で行なっていたが、通信の方法にはボイスメール、通常の電話を使用してもよいこと勿論である。
【００８０】
３）上述した表示画面は説明のための一例であって、ボタンの配置や形状や表示領域の配置および大きさに限定されるものではない。
【００８１】
４）上述の実施形態では、栄養士から医師，健康相談者への食事の分析結果の通知あるいはアドバイスは、ホームページに表示を利用して行なったが、電子メール、その他周知の通信方法で直接的にクライアントや健康相談者が保有する通信機器、たとえば、電話、ＦＡＸ，電子メールを使用してもよい。また、サーバから間接的に通知する場合も電話、ＦＡＸ，電子メールを使用することができる。また、医師側から健康相談者に対して行なうアドバイスも直接行なってもよく、その通信形態は、インターネット以外の通信方法を使用してもよい。
【００８２】
５）上述の実施形態ではテレビ電話による健康相談の申し込みを行なったが、電話による健康相談の申し込み、その他リモートの通信方法による健康相談の申し込みを行なってもよいこと勿論である。
【００８３】
６）本明細書でいう医療スタッフとは医師、看護婦、栄養士、運動療法士（スポーツ指導員を含む）などの医療に従事する人間をさす。また本明細書でいう健康相談者は相談者本人及び相談者の家族その他の関係者を指す。本明細書でいうクライアントとは通信機能を有する情報処理機器であれば何でもよく、例えばパーソナルコンピュータ、ワークステーション、インターネット接続機能付テレビなどあらゆるものを含むことができる。本明細書でいうネットワークとは、ＬＡＮ、ＷＡＮ、ＶＡＮ、一般公衆電話網、ＣＡＴＶネットワークその他いずれでも使用することができる。クライアントからサーバに接続する際に、プロバイダのようなネットワーク接続業者を介して接続してもよい。また、予め定める通知関係者は、健康相談者と医師以外にも、健康相談者の家族、緊急医療機関の医師、その他の関係者とすることができる。
【００８４】
７）バイタルデータ、食事の電子画像及びその分析結果は健康相談者本人、健康相談者の家族、医療スタッフ、緊急医療機関の医師、その他の関係者以外に対して読み出し制限を設ける。読み出し制限の手法としては、ユーザＩＤ及びパスワードなどの通常用いられている方法が適用できる。
【００８５】
以上述べた形態以外にも種々の変形が可能である。しかしながら、その変形が特許請求の範囲に記載された技術思想に基づくものである限り、その変形は本発明の技術範囲内となる。
【図面の簡単な説明】
【００８６】
【図１】本発明を適用した電子健康相談システムのシステム構成を示すブロック図である。
【図２】サーバ５０のソフトウェア構成を示すブロック図である。
【図３】ゲートウェイプログラムの機能を示す説明図である。
【図４】クライアントで表示される画面を模式的に示す説明図である。
【図５】クライアントで表示される画面を模式的に示す説明図である。
【図６】クライアントで表示される画面を模式的に示す説明図である。
【図７】クライアントで表示される画面を模式的に示す説明図である。
【図８】クライアントで表示される画面を模式的に示す説明図である。
【図９】クライアントで表示される画面を模式的に示す説明図である。
【図１０】クライアントで表示される画面を模式的に示す説明図である。
【図１１】クライアントで表示される画面を模式的に示す説明図である。
【図１２】クライアントで表示される画面を模式的に示す説明図である。
【図１３】クライアントで表示される画面を模式的に示す説明図である。
【図１４】クライアントで表示される画面を模式的に示す説明図である。
【図１５】クライアントで表示される画面を模式的に示す説明図である。
【図１６】クライアントで表示される画面を模式的に示す説明図である。
【図１７】クライアントで表示される画面を模式的に示す説明図である。
【図１８】クライアントで表示される画面を模式的に示す説明図である。
【図１９】クライアントで表示される画面を模式的に示す説明図である。
【符号の説明】
【００８７】
１０〜４０、６０  クライアント
５０  サーバ
【図１】
2005353088.tif 000003
【図２】
2005353088.tif 000004
【図３】
2005353088.tif 000005
【図４】
2005353088.tif 000006
【図５】
2005353088.tif 000007
【図６】
2005353088.tif 000008
【図７】
2005353088.tif 000009
【図８】
2005353088.tif 000010
【図９】
2005353088.tif 000011
【図１０】
2005353088.tif 000012
【図１１】
2005353088.tif 000013
【図１２】
2005353088.tif 000014
【図１３】
2005353088.tif 000015
【図１４】
2005353088.tif 000016
【図１５】
2005353088.tif 000017
【図１６】
2005353088.tif 000018
【図１７】
2005353088.tif 000019
【図１８】
2005353088.tif 000020
【図１９】
2005353088.tif 000021